(57)【要約】本開示の電気塩素化システムは、供給流体の供給源および生産物流体出口間に流体的に接続可能な電解槽、および電解槽の上流で、供給流体のｐＨの上昇、または供給流体における一価対二価イオンの比率の上昇のうちの一について構成されるサブシステムを含む。【選択図】図６
2021515096.tif 000002
【特許請求の範囲】
【請求項１】
供給流体の供給源および生産物流体出口間に流体的に接続可能な電解槽と、
前記電解槽の上流で、前記供給流体のｐＨの上昇、または前記供給流体における一価対二価イオンの比率の上昇のうちの一について構成されるサブシステムと、
を含む、電気塩素化システム。
【請求項２】
前記サブシステムには、前記供給流体の供給源に流動的に接続可能な入口を有し、および前記供給流体を残余分およびろ過生成物に分離するために構成されるナノろ過ユニットが含まれ、
前記残余分は、前記ろ過生成物よりも高い二価イオン対一価イオンの比率を有し、およびろ過生成物出口はろ過生成物を前記電解槽の入口に提供するために構成される、請求項１のシステム。
【請求項３】
前記ナノろ過ユニットは、前記供給流体における一価イオン濃度よりも２％から１０％まで低い一価イオン濃度を有する前記ろ過生成物を生産するために構成される、請求項２のシステム。
【請求項４】
前記ナノろ過ユニットは、前記供給流体における二価イオン濃度よりも５０％から９０％まで低い二価イオン濃度を有する前記ろ過生成物を生産するために構成される、請求項２のシステム。
【請求項５】
前記サブシステムには、前記供給流体の供給源に流動的に接続可能な入口、一以上の一価選択性膜、および前記電解槽の入口と流体連結する濃縮物ストリーム出口を有する電気透析ユニットが含まれる、請求項１のシステム。
【請求項６】
前記電気透析ユニットは、前記供給流体を希薄物ストリームおよび濃縮物ストリームに分離し、および希薄物ストリームから濃縮物ストリームに一価イオンを選択的に輸送するために構成される、請求項５のシステム。
【請求項７】
前記電気透析ユニットは、前記供給液に関して３％から４００％までによって濃縮物ストリームにおける一価イオンの濃度を増加させるために構成される、請求項６のシステム。
【請求項８】
前記サブシステムには、前記供給流体の供給源に流動的に接続可能な入口、一以上の双極性膜、および前記供給流体に関して増加した酸性度を有する流体ストリームを前記電解槽の入口に提供するために構成される出口を有する電気透析ユニットが含まれる、請求項１のシステム。
【請求項９】
前記サブシステムには、前記供給流体の供給源に流動的に接続可能な入口、一以上の双極性膜、および前記供給流体に関して増加した酸性度を有する流体ストリームを前記電解槽の上流に配置されるナノろ過ユニットの入口に提供するために構成される出口を有する電気透析ユニットが含まれる、請求項１のシステム。
【請求項１０】
前記ナノろ過ユニットは、前記流体ストリームを残余分およびろ過生成物に分離するために構成され、
前記残余分は、前記ろ過生成物よりも高い二価イオン対一価イオンの比率を有し、および前記ろ過生成物を前記電解槽の入口に提供するために構成されるろ過生成物出口が含まれる、請求項９のシステム。
【請求項１１】
前記サブシステムには、前記供給流体の供給源に流動的に接続可能な入口および電気透析ユニットと流体連結する出口を有するナノろ過ユニットが含まれ、
前記電気透析ユニットは、一以上の一価イオン選択性膜および濃縮物ストリーム出口で、前記電解槽の入口と流体連結するものを含む、請求項１のシステム。
【請求項１２】
前記電気透析ユニットおよび前記電解槽間に流体連結する酸素飽和ユニットをさらに含み、ならびに前記濃縮物ストリームを前記電解槽の入口に入れるのに先立って酸素を前記濃縮物ストリームに加えるために構成される、請求項１１のシステム。
【請求項１３】
前記サブシステムには、前記供給流体の供給源に流動的に接続可能な入口、一以上の一価選択性膜、ナノろ過ユニットの入口と流体連結する希薄物ストリーム出口、前記ナノろ過ユニットのろ過生成物出口と流体連結する濃縮物ストリーム入口、および前記電解槽の入口と流体連結する濃縮物ストリーム出口を有する電気透析ユニットが含まれる、請求項１のシステム。
【請求項１４】
電気塩素化システムを操作する方法であって、
修飾された供給流体を形成するために前記供給流体のｐＨの上昇、または前記供給流体における一価対二価イオンの比率の上昇のうちの一について前記供給流体の供給源および電解槽間で流体連結するサブシステムを操作すること；および
前記修飾された供給流体を前記電解槽中に導入すること
を含む、電気塩素化システムを操作する方法。
【請求項１５】
前記サブシステムを操作することには、ナノろ過ユニットにおける前記供給流体を残余分およびろ過生成物に分離することが含まれ、前記残余分は前記ろ過生成物よりも高い二価イオン対一価イオンの比率を有する、請求項１４の方法。
【請求項１６】
前記供給流体における一価イオン濃度よりも２％から１０％まで低い一価イオン濃度を有する前記ろ過生成物を生産することを含む、請求項１５の方法。
【請求項１７】
前記供給流体における二価イオン濃度よりも５０％から９０％まで低い二価イオン濃度を有する前記ろ過生成物を生産することを含む、請求項１５の方法。
【請求項１８】
前記サブシステムを操作することには、一以上の一価選択性膜を有する電気透析ユニットにおいて前記供給流体を処理することが含まれる、請求項１４の方法。
【請求項１９】
前記供給流体を希薄物ストリームおよび濃縮物ストリームに分離し、および一価イオンを前記希薄物ストリームから電気透析ユニットにおける前記濃縮物ストリームに選択的に輸送することを含む、請求項１８の方法。
【請求項２０】
前記濃縮物ストリームにおける一価イオンの濃度を供給液に関して３％から４００％までによって増加させることを含む、請求項１９の方法。
【請求項２１】
前記サブシステムを操作することには、一以上の双極性膜を有する電気透析ユニットにおいて前記供給流体を処理すること、および前記供給流体に関して増加した酸性度を有する流体ストリームを前記電気透析ユニットの出口から前記電解槽の入口に提供することが含まれる、請求項１４の方法。
【請求項２２】
前記サブシステムを操作することには、一以上の双極性膜を有する電気透析ユニットにおいて前記供給流体を処理すること、および前記供給流体に関して増加した酸性度を有する流体ストリームを前記電気透析ユニットの出口から前記電解槽の上流に配置されるナノろ過ユニットの入口に提供することが含まれる、請求項１４の方法。
【請求項２３】
前記流体ストリームを前記ナノろ過ユニットにより残余分およびろ過生成物に分離することであり、
前記残余分は、前記ろ過生成物よりも高い二価イオン対一価イオンの比率を有すること、および前記ろ過生成物を前記電解槽の入口に提供することをさらに含む、請求項２２の方法。
【請求項２４】
前記サブシステムを操作することには、電気透析ユニットと流体連結する出口を有するナノろ過ユニットにおいて前記供給流体を処理することであり、
前記電気透析ユニットは一以上の一価選択性膜を含むこと、および濃縮物ストリームを前記電気透析ユニットから前記電解槽の入口に送ることが含まれる、請求項１４の方法。
【請求項２５】
前記濃縮物ストリームを前記電解槽の入口に入れるのに先立って酸素を濃縮物ストリームに加えることをさらに含む、請求項２４の方法。
【請求項２６】
前記サブシステムを操作することには、一以上の一価選択性膜を有する電気透析ユニットにおいて前記供給流体を処理すること、希薄物ストリームを前記電気透析ユニットからナノろ過ユニットの入口に送ること、ろ過生成物を前記ナノろ過ユニットから前記電気透析ユニットの濃縮物ストリーム入口に送ること、および前記濃縮物ストリームを前記電気透析ユニットから前記電解槽の入口に送ることが含まれる、請求項１４の方法。
【発明の詳細な説明】
【関連出願との相互参照】
【０００１】
この出願は、２０１８年２月２７日付け出願の「優れた電解槽＃性能のためのプロセスストリーム組成の調整（REGULATION OF PROCESS STREAM COMPOSITION FOR IMPROVED ELECTROLYZER#PERFORMANCE）」と題する米国仮出願連続番号第６２／６３５，７３１号に対して、３５  Ｕ．Ｓ．Ｃ．§１１９（ｅ）に基づく優先権を主張し、それはすべての目的のために参照によってその全体がここに組み込まれる。
【背景技術】
【０００２】
背景
１．発明の分野
ここに開示する態様および実施形態は概して、電気化学デバイスに、およびより一層具体的には、電気塩素化セルおよびデバイスならびにそれを利用するシステムおよび方法に指向する。
２．関連技術の考察
【発明の概要】
【発明が解決しようとする課題】
【０００３】
電気化学デバイスは、電極での化学反応によって供給ストリームから生産物溶液を生産するために使用され、産業上および自治体の履行において広く使用される。反応の例としては、以下のものが含まれる：
【０００４】
Ａ１．塩化ナトリウムおよび水からの次亜塩素酸ナトリウムの生成を伴う電気塩素化。
アノードでの反応：２Ｃｌ−→Ｃ１２＋２ｅ−
カソードでの反応：２Ｎａ＋＋２Ｈ２Ｏ＋２ｅ−→２ＮａＯＨ＋Ｈ２
溶液において：Ｃ１２＋２ＯＨ−→ＣｌＯ−＋Ｃｌ−＋Ｈ２Ｏ
全体的な反応：ＮａＣｌ＋Ｈ２Ｏ→ＮａＯＣｌ＋Ｈ２
Ｅ０ｏｘ＝−１．３６  Ｖ（塩素生成）
Ｅ０ｒｅｄ＝−０．８３  Ｖ（水素生成）
Ｅ０ｃｅｌｌ＝−２．１９  Ｖ
【０００５】
Ａ２．沈殿物反応条件。
水酸化マグネシウム：Ｍｇ２＋＋２ＯＨ−→Ｍｇ（ＯＨ）２
炭酸カルシウム：Ｃａ２＋＋ＣＯ３２−→ＣａＣＯ３
【０００６】
Ｂ．塩化ナトリウムおよび水からの水酸化ナトリウムおよび塩素の生成、アノードおよびカソードを分離するカチオン交換膜による：
アノードでの反応：２Ｃｌ−→Ｃ１２＋２ｅ−
カソードでの反応：２Ｈ２Ｏ＋２ｅ−→２ＯＨ−＋Ｈ２
全体的な反応：２ＮａＣ１＋２Ｈ２Ｏ→２ＮａＯＨ＋Ｃ１２＋Ｈ２
【０００７】
Ｃ．エネルギー貯蔵用バナジウムレドックス電池、電極を分離するプロトン透過性膜による。
充電中：
第１電極での反応：Ｖ３＋＋ｅ−→Ｖ２＋
第２電極での反応：Ｖ４＋→Ｖ５＋＋ｅ−
放電中：
第１電極での反応：Ｖ２＋→Ｖ３＋＋ｅ−
第２電極での反応：Ｖ５＋＋ｅ−→Ｖ４＋
【０００８】
いくらかの履行において、電気塩素化デバイスは海水で存在する塩化ナトリウムから次亜塩素酸ナトリウムを生成するために利用され得る。
概略
【課題を解決するための手段】
【０００９】
本発明の一態様に従い、電気化学セルが提供される。電気化学セルには、入口、出口、および中心軸、ならびに中心軸についてハウジング内に実質同軸に配置され、およびアノード−カソード対のアノードおよびカソード間に活性領域を規定するアノード−カソード対を有するハウジングが含まれ、アノードおよびカソードの少なくとも一方の活性表面積はハウジングの内側面の表面積よりもひろい表面積を有し、アノード−カソード対は電気化学セルを通過するすべての流体が活性領域を通して軸方向に導かれるために構成およびアレンジされる。
【００１０】
いくらかの実施形態では、電気化学セルは少なくとも約２ｍｍ−１の全体的な電極パッキング密度を有する。
【００１１】
いくらかの実施形態では、電気化学セルには、電気化学セル内に配置され、および中心軸に沿って電気化学セルの一部を通る流体の流れをブロックするために構成される中心コア要素がさらに含まれ、中心コア要素はアノード−カソード対の少なくとも一の電極に非接続である。
【００１２】
いくらかの実施形態では、アノード−カソード対は中心軸について螺旋状に巻かれる。
【００１３】
いくらかの実施形態では、電気化学セルには、一以上の螺旋状に巻かれた双極性電極がさらに含まれる。いくらかの実施形態では、アノードは電気化学セルの長さに沿ってカソードから横方向に変位する。
【００１４】
いくらかの実施形態では、アノードおよびカソードの少なくとも一方は硬質電極である。アノードおよびカソードは各々チタンプレートを含んでよく、およびアノードの表面は白金および混合金属酸化物からなる群より選ばれる耐酸化性コーティングにより被覆され得る。アノードおよびカソードには、各々チタン、ニッケル、およびアルミニウムの一以上が含まれ得る。アノードの表面は、白金、混合金属酸化物、マグネタイト、フェライト、コバルトスピネル、タンタル、パラジウム、イリジウム、金、および銀からなる群より選ばれる耐酸化性コーティングで被覆され得る。アノードおよびカソードの少なくとも一方は流体透過性であり得、および／または穿孔したチタンプレートを含んでもよい。
【００１５】
いくらかの実施形態では、電気化学セルには、アノードおよびカソード間のギャップ距離を維持するために構成されるセパレータがさらに含まれ、セパレータは活性領域を通して電解質溶液の流れに対してオープンである。セパレータはアノードおよびカソードの少なくとも一方の縁部と係合するスロットを伴うスポークを有するハブを含み得る。ハブはアノードおよびカソードの一方を電流の供給源に電気的に接続するために構成される電気コネクタをさらに含み得る。
【００１６】
いくらかの実施形態では、電気化学セルには、アノードおよびカソードの一方と電気的に接触するスポークを含むハブがさらに含まれる。スポークはアノードおよびカソードの一方の縁部と係合し、および螺旋状に巻かれたアノード−カソード対のターン間のギャップを維持するスロットを含み得る。
【００１７】
いくらかの実施形態では、中心コア要素には、アノード−カソード対の最も内側の巻線内に配置される非導電性コアが含まれる。
【００１８】
いくらかの実施形態では、アノード−カソード対は複数の同心電極管および隣接する電極管の間に規定されるギャップを含む。複数の同心電極管は複数のアノード電極管および複数のカソード電極管のうちの一を含み得る。複数のアノード電極管および複数のカソード電極管のうちの一は硬質電極であり得る。
【００１９】
いくらかの実施形態では、複数の同心管電極は複数のアノード電極管および複数のカソード電極管を含む。
【００２０】
いくらかの実施形態では、電気化学セルは単一のパスにおいてアノード電極管からカソード電極管へ電解質溶液を通して電流（ＤＣおよび／またはＡＣ）が流れることを可能にするために構成される。
【００２１】
いくらかの実施形態では、電気化学セルには、アノード電極管およびカソード電極管間に配置される双極性電極管がさらに含まれる。
【００２２】
いくらかの実施形態では、アノード電極管はアノード電極管と同じ直径を有するカソード電極管から電気化学セルの長さに沿って横方向に変位する。電気化学セルには、アノードハーフおよびカソードハーフを含む電極管が含まれ得る。
【００２３】
いくらかの実施形態では、電気化学セルには、アノード電極管およびカソード電極管のそれぞれの同心円状にアレンジされた隣接する対の間に配置される複数の双極性電極管がさらに含まれる。
【００２４】
いくらかの実施形態では、複数のアノード電極管および複数のカソード電極管の少なくとも一は穿孔されるか、および／または流体透過性である。
【００２５】
いくらかの実施形態では、電気化学セルには、隣接する電極管の間に位置付けられる少なくとも一のセパレータがさらに含まれ、少なくとも一のセパレータは隣接する電極管間のギャップを規定および維持するために構成される。セパレータは隣接する電極管間に規定されるギャップを通して電解質溶液の流れに対してオープンであり得る。
【００２６】
いくらかの実施形態では、電気化学セルは複数の同心電極管の縁部に電気的にカップリングされるスポークを含む金属性ハブがさらに含まれる。各スポークは複数の同心電極管の縁部と係合して複数の同心電極管において隣接する電極管の間のギャップを維持するスロットを含み得る。
【００２７】
いくらかの実施形態では、中心コア要素は電気化学セルの最も内側の同心管電極の端部内に配置されるエンドキャップを含む。
【００２８】
いくらかの実施形態では、電気化学セルはオブラウンド断面を有する。
【００２９】
いくらかの実施形態では、電気化学セルには、アノードおよびカソードの一方と電気的連結する電気コネクタがさらに含まれ、電気コネクタは電解質溶液によって化学的攻撃に対して異なる程度の抵抗性を有する少なくとも二の物質を含む。少なくとも二の物質は第一の物質および第二の物質を含み得、および電気コネクタは第一の物質で形成される流体透過性本体を含み得る。流体透過性本体は複数の開口部を含んでもよい。
【００３０】
いくらかの実施形態では、電気化学セルは第一の物質で形成された流体透過性本体に一以上の機械的ファスナーによりカップリングされる第二の物質のプレートまたは本体を含む。
【００３１】
いくらかの実施形態では、電気化学セルは第一の物質で形成された流体透過性本体に圧縮フィット（ｃｏｍｐｒｅｓｓｉｏｎ  ｆｉｔ）によりカップリングされる第二の物質のプレートまたは本体を含む。
【００３２】
いくらかの実施形態では、電気化学セルは第一の物質で形成される流体透過性本体の縁部において形成される細線（ｔｈｒｅａｄｓ）を有する第一の物質で形成された流体透過性本体にカップリングされる第二の物質のプレートまたは本体を含む。
【００３３】
いくらかの実施形態では、電気化学セルは第二の物質で形成される本体の筒状部分において形成される細線を有する第一の物質で形成された流体透過性本体にカップリングされる第二の物質で形成される本体を含む。
【００３４】
いくらかの実施形態では、電気化学セルは第一の物質で形成される本体に溶接される第二の物質で形成される本体を含む。
【００３５】
別の態様に従い、電気化学セルを含むシステムが提供される。本電気化学セルには、入口、出口、および中心軸、ならびに中心軸についてハウジング内に実質同心的に配置され、およびアノード−カソード対のアノードおよびカソード間に活性領域を規定するアノード−カソード対を有するハウジングが含まれ、アノードおよびカソードの少なくとも一方の活性表面積はハウジングの内側面の表面積よりもひろい表面積を有し、アノード−カソード対は電気化学セルを通過するすべての流体が活性領域を通して軸方向に導かれるために構成およびアレンジされる。本システムは電気化学セルと流体連結する電解質の供給源をさらに含む。電気化学セルは電解質の供給源からの電解質から一以上の反応生産物を生産し、および一以上の反応生産物を産出するために構成される。システムは電気化学セルによって産出される一以上の反応生産物についてユースポイントをさらに含む。一以上の反応生産物は消毒剤を含み得る。消毒剤は次亜塩素酸ナトリウムを含むか、またはそれから本質的になり得る。
【００３６】
いくらかの実施形態では、電解質の供給源には、塩水および海水のうちの一が含まれる。
【００３７】
いくらかの実施形態では、システムは船および石油プラットフォーム（石油掘削用プラットフォームとも称する）のうちの一において含まれる。
【００３８】
いくらかの実施形態では、ユースポイントは冷却水システムおよびバラストタンクのうちの一を含む。
【００３９】
いくらかの実施形態では、システムは地上にある石油掘削システム（ｌａｎｄ−ｂａｓｅｄ  ｏｉｌ  ｄｒｉｌｌｉｎｇ  ｓｙｓｔｅｍ）において含まれ、そこでユースポイントは石油掘削システムのダウンホール（地面に掘った穴とも称する）である。
【００４０】
別の態様に従い、電気化学セルが提供される。本電気化学セルは、ハウジングにおいて配置されるカソードおよびアノードで、およびそれらの間にギャップを規定するものを含み、各々のカソードおよびアノードは弓状部分（ａｒｃｕａｔｅ  ｐｏｒｔｉｏｎｓ）を含み、アノードの活性表面積はハウジングの内側面の表面積よりもひろく、およびカソードの活性表面積はハウジングの内側面の表面積よりもひろく、カソードおよびアノードは電気化学セルを通過するすべての流体がギャップを通して軸方向に導かれるために構成およびアレンジされる。
【００４１】
いくらかの実施形態において、アノードは弓状基部から延びる複数のプレートを含み、およびカソードは弓状基部から延びる複数のプレートを含み、アノードの複数のプレートはカソードの複数のプレートとインターリーブする。
【００４２】
別の態様に従い、電気化学セルが提供される。電気化学セルは、ハウジングにおいて配置されるカソードおよびアノードで、およびそれらの間にギャップを規定するものを含み、各々のカソードおよびアノードはハウジングの内側面のそれぞれの部分に適合する部分を含み、アノードの活性表面積はハウジングの内側面の表面積よりひろく、およびカソードの活性表面積はハウジングの内側面の表面積よりひろく、カソードおよびアノードは電気化学セルを通過するすべての流体がギャップを通して軸方向に導かれるために構成およびアレンジされる。アノードおよびカソードの少なくとも一はコルゲーテッド部分（波形部分とも称する）を含み得る。
【００４３】
別の態様に従い、電気塩素化システムが提供される。本システムには、供給流体の供給源および生産物流体出口間に流体的に（ｆｌｕｉｄｉｃａｌｌｙ）接続可能な電解槽、および電解槽の上流で、供給流体のｐＨの上昇、または供給流体における一価対二価イオンの比率の上昇のうちの一について構成されるサブシステムが含まれる。
【００４４】
いくらかの実施形態では、サブシステムには、供給流体の供給源に流動的に（ｆｌｕｉｄｌｙ）接続可能な入口を有し、および供給流体を残余分およびろ過生成物に分離するために構成されるナノろ過ユニットが含まれ、残余分はろ過生成物よりも高い二価イオン対一価イオンの比率を有し、およびろ過生成物出口はろ過生成物を電解槽の入口に提供するために構成される。
【００４５】
いくらかの実施形態では、ナノろ過ユニットは供給流体における一価イオン濃度よりも２％から１０％まで低い一価イオン濃度を有するろ過生成物を生産するために構成される。
【００４６】
いくらかの実施形態では、ナノろ過ユニットは供給流体における二価イオン濃度よりも５０％から９０％まで低い二価イオン濃度を有するろ過生成物を生産するために構成される。
【００４７】
いくらかの実施形態では、サブシステムには、供給流体の供給源に流動的に接続可能な入口、一以上の一価選択性膜、および電解槽の入口と流体連結する濃縮物ストリーム出口を有する電気透析ユニットが含まれる。電気透析ユニットは供給流体を希薄物（ｄｉｌｕａｔｅ）ストリームおよび濃縮物ストリームに分離し、および希薄物ストリームから濃縮液ストリームに一価イオンを選択的に輸送するために構成され得る。電気透析ユニットは供給液（ｔｈｅ  ｆｅｅｄ  ｌｉｑｕｉｄ）に関して３％から４００％までによって濃縮物ストリームにおける一価イオンの濃度を増加させるために構成され得る。
【００４８】
いくらかの実施形態では、サブシステムには、供給流体の供給源に流動的に接続可能な入口、一以上の双極性膜、および供給流体に関して増加した酸性度を有する流体ストリームを電解槽の入口に提供するために構成される出口を有する電気透析ユニットが含まれる。
【００４９】
いくらかの実施形態では、サブシステムには、供給流体の供給源に流動的に接続可能な入口、一以上の双極性膜、および供給流体に関して増加した酸性度を有する流体ストリームを電解槽の上流に配置されるナノろ過ユニットの入口に提供するために構成される出口を有する電気透析ユニットが含まれる。ナノろ過ユニットは、流体ストリームを残余分およびろ過生成物に分離するために構成してよく、残余分はろ過生成物よりも高い二価イオン対一価イオンの比率を有し、およびろ過生成物を電解槽の入口に提供するために構成されるろ過生成物出口を含む。
【００５０】
いくらかの実施形態では、サブシステムには、供給流体の供給源に流動的に接続可能な入口、および電気透析ユニットと流体連結する出口とを有するナノろ過ユニットが含まれ、電気透析ユニットは一以上の一価選択性膜および濃縮物ストリーム出口で、電解槽の入口と流体連結するものを含む。本システムには、電気透析ユニットおよび電解槽間で流体連結する酸素飽和ユニットがさらに含まれ得、および濃縮物ストリームを電解槽の入口に入れるのに先立って酸素を濃縮物ストリームに加えるために構成される。
【００５１】
いくらかの実施形態では、サブシステムには、供給流体の供給源に流動的に接続可能な入口、一以上の一価選択性膜、ナノろ過ユニットの入口と流体連結する希薄物ストリーム出口、ナノろ過ユニットのろ過生成物出口と流体連結する濃縮物ストリーム入口、および電解槽の入口と流体連結する濃縮物ストリーム出口を有する電気透析ユニットが含まれる。
【００５２】
別の態様によれば、電気塩素化システムを操作する方法が提供される。本方法には、修飾された供給流体を形成するために供給流体のｐＨの上昇、または供給流体における一価対二価イオンの比率の上昇のうちの一について供給流体の供給源および電解槽間で流体連結するサブシステムを操作すること、および修飾された供給流体を電解槽中に導入することが含まれる。
【００５３】
いくらかの実施形態では、サブシステムを操作することには、ナノろ過ユニットにおける供給流体を残余分およびろ過生成物に分離することが含まれ、残余分はろ過生成物よりも高い二価イオン対一価イオンの比率を有する。本方法には、供給流体における一価イオン濃度よりも２％から１０％まで低い一価イオン濃度を有するろ過生成物を生産することが含まれ得る。本方法には、供給流体における二価イオン濃度よりも５０％から９０％まで低い二価イオン濃度を有するろ過生成物を生産することが含まれ得る。
【００５４】
いくらかの実施形態では、サブシステムを操作することは、一以上の一価選択性膜を有する電気透析ユニットにおいて供給流体を処理することを含む。本方法には、供給流体を希薄物ストリームおよび濃縮物ストリームに分離し、および一価イオンを希薄物ストリームから電気透析ユニットにおける濃縮物ストリームに選択的に輸送することが含まれ得る。濃縮物ストリームにおける一価イオンの濃度は供給液に関して３％から４００％までによって増加される。
【００５５】
いくらかの実施形態では、サブシステムを操作することは、一以上の双極性膜を有する電気透析ユニットにおいて供給流体を処理すること、および供給流体に関して増加した酸性度を有する流体ストリームを電気透析ユニットの出口から電解槽の入口に提供することを含む。
【００５６】
いくらかの実施形態では、サブシステムを操作することは、一以上の双極性膜を有する電気透析ユニットにおいて供給流体を処理すること、および供給流体に関して増加した酸性度を有する流体ストリームを電気透析ユニットの出口から電解槽の上流に配置されるナノろ過ユニットの入口に提供することを含む。本方法には、ナノろ過ユニットにより流体ストリームを残余分およびろ過生成物に分離ことであり、残余分はろ過生成物よりも高い二価イオン対一価イオンの比率を有すること、およびろ過生成物を電解槽の入口に提供することがさらに含まれ得る。
【００５７】
いくらかの実施形態では、サブシステムを操作することは、電気透析ユニットと流体連結する出口を有するナノろ過ユニットにおいて供給流体を処理することであり、電気透析ユニットは一以上の一価選択性膜を含むこと、および濃縮物ストリームを電気透析ユニットから電解槽の入口に送ることが含まれる。本方法には、濃縮物ストリームを電解槽の入口に入れるのに先立って酸素を濃縮物ストリームに加えることがさらに含まれ得る。
【００５８】
いくらかの実施形態では、サブシステムを操作することは、一以上の一価選択性膜を有する電気透析ユニットにおいて供給流体を処理すること、希薄物ストリームを電気透析ユニットからナノろ過ユニットの入口に送ること、ろ過生成物をナノろ過ユニットから電気透析ユニットの濃縮物ストリーム入口に送ること、および濃縮物ストリームを電気透析ユニットから電解槽の入口に送ることが含まれる。
【図面の簡単な説明】
【００５９】
添付図面は正確な縮尺で描くことを意図していない。図面では、様々な図において例示する同一またはほぼ同一の各コンポーネントは、同様の数字で表す。明確にするために、あらゆるコンポーネントがすべての図面でラベル付けされているとは限らない。図面において以下説明する：
【００６０】
【図１Ａ】マルチ−チューブ同心管電解槽セルの実施形態の斜視図である。
【図１Ｂ】図１Ａの同心管電解槽セルの側面図である。
【図１Ｃ】図１Ａの同心管電解槽セルの断面図である。
【図２】直列に流体的に接続された２０個の電気化学セルを含む電解槽システムを例示する。
【図３Ａ】代表的な電解槽システムパラメータの表である。
【図３Ｂ】代表的な電解槽システムの質量流量の表である。
【図３Ｃ】電解槽システムにおける代表的な水素容量生成率の表である。
【図３Ｄ】電解槽システムにおける代表的な質量生成率の表である。
【図４】ナノろ過を介して電解槽システムの供給ストリーム組成を調節するためのシステムを例示する。
【図５】実例のナノろ過システムにおける選定化合物の除去率を例示する。
【図６】電気透析を介して電解槽システムの供給ストリーム組成を調節するためのシステムを例示する。
【図７Ａ】実例の電気透析モジュールからの海水濃縮物における合計ＴＤＳの関数としてのＣｌ−およびＳＯ４２−の相対レベルを例示する。
【図７Ｂ】実例の電気透析モジュールにおける脱塩パーセントの関数としてのＣｌ−およびＳＯ４２−の相対レベルを例示する。
【図８Ａ】実例の電気透析モジュールからの海水濃縮物における合計ＴＤＳの関数としての選定カチオンの相対レベルを例示する。
【図８Ｂ】実例の電気透析モジュールにおける脱塩パーセントの関数としての選定カチオンの相対レベルを例示する。
【図９Ａ】電気透析を介して電解槽供給ストリームのｐＨを調節するためのシステムを例示する。
【図９Ｂ】図９Ａの双極性電気透析モジュールをより一層詳細に例示する。
【図１０】ナノろ過を介して電解槽供給ストリームのｐＨを調節するシステムを例示する。
【図１１】図１１Ａは、電解槽供給ストリームを調節するためにナノろ過および電気透析を組み合わせるシステムを例示する。図１１Ｂは、電解槽供給ストリームを調節するためにナノろ過および電気透析を組み合わせる別のシステムを例示する。
【図１２Ａ】供給ストリーム組成を調節するためのシステムで、反応生産物減少（ｒｅａｃｔｉｏｎ  ｐｒｏｄｕｃｔ  ａｂａｔｅｍｅｎｔ）について構成される電解槽とカップリングされるものを例示する。
【図１２Ｂ】電解槽への異なる供給溶液についての水素減少の相対的性能を例示する。
【図１３】ここに開示する電気化学セルおよびシステムの実施形態についてのコントロールシステムを例示する。そして
【図１４】図１３のコントロールシステムのためのメモリシステムを例示する。
【図１５Ａ】再循環電解槽システムの性能を評価するためのテストシステムのセットアップを例示する。
【図１５Ｂ】図１５Ａのシステムについて利用される供給溶液の組成を例示する。そして
【図１５Ｃ】図１５Ａのシステムの試験の結果を例示する。
【００６１】
詳細な記載
【００６２】
ここに開示する態様および実施形態は、以下の説明において記載し、または図面において例示するコンポーネント（成分、構成要素とも称する）の構成およびアレンジメント（配列とも称する）の詳細に制限されない。ここに開示する態様および実施形態は、さまざまな仕方において実践または遂行する能力がある。また、ここで使用する言い回しおよび用語法は説明を目的とするものであり、および制限と見なされるべきではない。ここでの「ｉｎｃｌｕｄｉｎｇ（含むこと、全体の一部・成分として含むこと、などとも称する）」、「ｃｏｍｐｒｉｓｉｎｇ（含むこと、備えること、構成要素として持つこと、などとも称する）」、「ｈａｖｉｎｇ（有すること、もつこと、などとも称する）」、「ｃｏｎｔａｉｎｉｎｇ（含有すること、一定の枠内に含むこと、などとも称する）」、「ｉｎｖｏｌｖｉｎｇ（関与すること、などとも称する」、およびそれらの変形の使用は、その後に列挙するアイテムおよびその等価物ならびに追加的なアイテムを包含することを意味する。
【００６３】
この開示は電気塩素化セルおよび電気塩素化デバイスを含め、システムの様々な実施形態を説明するが、この開示は、電気塩素化セルまたはデバイスが含まれるシステムに制限されず、およびここに開示する態様および実施形態は、複数目的のいずれかのものについて使用される電解および電気化学セルが含まれるシステムに適用可能である。
【００６４】
目下の商業上の電気塩素化セルは典型的に、二つの電極アレンジメント、同心管（ｃｏｎｃｅｎｔｒｉｃ  ｔｕｂｅｓ）（ＣＴＥ）および平行プレート（ＰＰＥ）のうちの一に基づく。
【００６５】
ここに開示する態様および実施形態は概して、消毒剤、例えば、次亜塩素酸ナトリウムなどのようなものを生成するために電気化学デバイスが含まれるシステムに向けられる。「電気化学デバイス」および「電気化学セル」という用語およびそれらの文法上の変形は、「電気塩素化デバイス」および「電気塩素化セル」およびそれらの文法上の変形を包含すると理解されるべきである。ここに開示する電気化学セルの態様および実施形態は一またはそれよりも多く（単に、一以上と称する）の電極を含むとして説明される。
【００６６】
ここに開示するシステムにおいて含まれる電気化学セルの実施形態は、金属電極、例えば、一以上のアノード、一以上のカソード、および／または一以上の双極性電極を含み得る。ここで使用するように「金属電極」という用語またはその文法上の変形は、一以上の金属、例えば、チタン、アルミニウム、またはニッケルから形成され、それらを含み、またはそれらからなる電極を包含すると理解されるが、他の金属または合金からなることを含む電極を除外しない。いくらかの実施形態では、「金属電極」は異なる金属のマルチ層（ｍｕｌｔｉｐｌｅ  ｌａｙｅｒｓ）を含み得る。ここで開示する実施形態のいずれか一以上において利用される金属電極は、高導電性金属、例えば、銅またはアルミニウムのコアを含み得、電解質溶液によっての化学的攻撃に対する高い耐性を有する金属または金属酸化物、例えば、チタン、白金、混合金属酸化物（ＭＭＯ）、マグネタイト（磁鉄鉱とも称する）、フェライト、コバルトスピネル、タンタル、パラジウム、イリジウム、銀、金、または他のコーティング物質の層により被覆される。「金属電極」は、耐酸化性コーティング、例えば、制限されないが、白金、混合金属酸化物（ｍｉｘｅｄ  ｍｅｔａｌ  ｏｘｉｄｅ）（ＭＭＯ）、マグネタイト、フェライト、コバルトスピネル、タンタル、パラジウム、イリジウム、銀、金、または他のコーティング物質により被覆され得る。ここに開示する実施形態において利用される混合金属酸化物には、ルテニウム、ロジウム、タンタル（随意にアンチモンおよび／またはマンガンと合金化される）、チタン、イリジウム、亜鉛、スズ、アンチモン、チタン−ニッケル合金、チタン銅合金、チタン鉄合金、チタン−コバルト合金、または他の適切な金属または合金の酸化物または酸化物群が含まれ得る。ここに開示する実施形態において利用されるアノードは、プラチナおよび／またはイリジウム、ルテニウム、スズ、ロジウム、またはタンタル（随意にアンチモンおよび／またはマンガンにより合金化される）の一以上の酸化物または酸化物群により被覆され得る。ここに開示する実施形態において利用されるカソードは、プラチナおよび／またはイリジウム、ルテニウム、およびチタンの一以上の酸化物または酸化物群によりコーティングされ得る。ここで開示する実施形態において利用される電極は、チタン、タンタル、ジルコニウム、ニオブ、タングステン、および／またはシリコンの一以上のベースを含み得る。ここに開示する任意のシステムにおける任意の電気化学セルのための電極は、プレート、シート、ホイル、押出し物、および／または焼結物として、またはそれらから形成することができる。
【００６７】
ここに開示するシステムにおいて含まれる電気化学セルのいくらかの態様および実施形態は硬質電極（ｒｉｇｉｄ  ｅｌｅｃｔｒｏｄｅｓ）を含むものとして説明される。本用語をここで用いるとき、「硬質」物体は、通常の操作温度にておよび／または高められた温度にて加えられる力が不存在な場合にその形状を維持するものである。ここで使用する用語として「硬質電極」は、スペーサを必要とせずに、ここに開示する電気化学セルおよびデバイスの様々な実施形態において隣接電極または電極巻線（ｅｌｅｃｔｒｏｄｅ  ｗｉｎｄｉｎｇｓ）間のその形状および分離をそれが維持するように十分な機械的剛性（ｍｅｃｈａｎｉｃａｌ  ｓｔｉｆｆｎｅｓｓ）を有すると考えられる。例えば、金属コーティングを含む可撓性フィルムは、本用語をここで使用するとき、「硬質電極」と考えるべきではない。
【００６８】
ここで使用する「管」という用語は、筒状（ｃｙｌｉｎｄｒｉｃａｌ）導管を含むが、他の断面形状を有する導管、例えば、正方形、長方形、楕円形、またはオブラウンド（長円）形、または任意の規則的または不規則な多角形のような断面形状を有する導管を除外しない。
【００６９】
ここで使用する「同心管」または「同心螺旋」という用語は、共通の中心軸を共有する管またはインターリーブした（交互配置したとも称する）螺旋を含むが、同心管またはインターリーブした螺旋のセットにおいて各々の同心管またはインターリーブした螺旋に関して必ずしも中心ではない共通軸を囲む管またはインターリーブした螺旋を除外しない。
【００７０】
いくらかの実施形態では、中心軸に垂直に規定される平面において電気塩素化セルの中心軸から電気塩素化セルの周辺に向かって通過する線は、マルチ電極プレートを通過する。マルチ電極プレートはマルチアノードおよび／またはマルチカソードおよび／またはマルチ双極性（ｍｕｌｔｉｐｌｅ  ｂｉｐｏｌａｒ）電極を含み得る。中心軸は電気化学セルを通して流体の平均的な流れ方向に平行であり得る。
【００７１】
マルチアノードまたはカソード管電極を含め、ここに開示するシステムに含まれる電気化学セルの実施形態では、マルチアノード管電極は集合的にアノードまたはアノード管と称し得、およびマルチカソード管電極は集合的にカソードまたはカソード管と称し得る。マルチアノードおよび／またはマルチカソード管電極を含むシステムにおいて含まれる電気化学セルの実施形態では、マルチアノード管電極および／またはマルチカソード管電極はここで集合的にアノード−カソード対と称してよい。
【００７２】
ここに開示するシステムにおいて含まれる電気化学セルのいくつかの態様および実施形態では、同心管電極、例えば、ここに開示するような一以上のアノードおよび／またはカソードが含まれ、電極は、電気化学セルの中心軸に平行な方向において電極間の一以上のギャップ（間隙とも言う）を通して流体を導くように構成およびアレンジ（配列とも称する）される。同心管電極、例えば、ここに開示する一以上のアノードおよび／またはカソードを含む電気化学セルのいくつかの態様および実施形態では、電極は、電気化学セルの中心軸に平行な方向において電極間の一以上のギャップを通して電気化学セル中に導入されるすべての流体を導くために構成およびアレンジされる。
【００７３】
電気塩素化セルは、海洋、オフショア、自治体（ｍｕｎｉｃｉｐａｌ）、産業および商業用途で使用される。複数の同心電極管を含む電気塩素化セルの設計パラメータ、例えば、電極間の間隔、電極の厚さおよびコーティング密度、電極面積、電気接続の方法、などは、さまざまな履行（ｉｍｐｌｅｍｅｎｔａｔｉｏｎｓ）のために選定することができる。ここに開示する態様および実施形態は、電極の数、電極間の空間、電極物質またはスペーサ物質、電気塩素化セル内の通過回数または電極コーティング物質に制限されない。
【００７４】
ＰＣＴ出願ＰＣＴ／ＵＳ２０１６／０１８２１０号はあらゆる目的について参照によって全体がここに組み込まれる。
【００７５】
ここに開示する態様および実施形態は、電解槽供給ストリームの組成の調整のためのシステムおよびプロセスを含む。これらの技術の使用を通して、沈殿物形成の割合を低下させ、および電解槽によって生産される次亜塩素酸塩の濃度を増加させることが可能である。
【００７６】
システム性能を改善するための同心管状電解槽（ＣＴＥ）セルの構成はＵＳ  ６２／６３３，７９０号において論じられており、それをすべての目的のために参照によってその全体としてここに組み込む。電気化学セルの様々なアレンジメントを含む電解槽システム（例は、マルチＣＴＥセルを含むＣＴＥシステム）は、ＰＣＴ出願ＰＣＴ／ＵＳ２０１９／０１９０７２号において開示され、それはあらゆる目的のために参照によってその全体がここに組み込まれる。ただし、セルのアレンジメントに加えて、ＣＴＥシステムの性能はその供給ストリーム組成に大きく依存する。
【００７７】
ＣＴＥシステムは、例えば、以下の表１および２に例示するように、広範囲の組成にわたって海水供給ストリームにより操作することを意図する。海水において様々な溶解固形物の濃度は場所によって変動し得るが、海水の一つの例には、次の成分が含まれ得る：
【表１】
2021515096.tif 000003
【００７８】
異なる場所からの海水の様々なイオン成分を以下の表２に示す。
【表２】
2021515096.tif 000004
【００７９】
ＣＴＥシステムにおいて海水からＮａＯＣｌを生成するための全体的な電気化学反応条件は、方程式セット（ｅｑｕａｔｉｏｎ  ｓｅｔｓ）Ａ１およびＡ２においてこの開示の背景セクションにおいてリストする。
【００８０】
海水からＮａＯＣｌを生成するＣＴＥシステムのアノードでの主要な反応生産物はＣｌ２である。アノード電流および溶液でのＮａＣｌの濃度は、Ｃｌ２が生産される割合を調整し、それは次に溶液において形成されるＮａＯＣｌの量を決める。システムの容量流量に関して形成されるＮａＯＣｌの量は全体の生産物強度を決定付ける。
【００８１】
海水からＮａＯＣｌを生成するＣＴＥシステムのカソードでの主な反応生産物はＨ２およびＯＨ−である。電流、および従ってカソード電流密度は、それらが生産される割合を調整し、およびそれらの生産割合はシステム内のｐＨに影響を与える。
【００８２】
海水のバルクｐＨは概して７．５−８．４であるが、上記反応の速度論は他の要因とともにシステム内のｐＨを駆動する。
【００８３】
その溶解度を超えると、Ｈ２はＣＴＥセルにおいてそれが生産されるときにガス放出し、流体容量が置き換えられ、およびカソードが覆い隠される（ｂｌｉｎｄｉｎｇ）。同じＯＨ−生産率を維持しながら局所的な流体の体積を減らすと、カソードでの局所的なｐＨが高くなる。
【００８４】
乱流、および従って混合は速度の関数であるため、ＣＴＥセルのカソードでの局所的なＯＨ−濃度もまた、速度の関数である。したがって、流量を減らすことは、局所的なカソードのｐＨを高くする。
【００８５】
８のｐＨしきい値では、海水はＣａＣＯ３により過飽和される。１０．７−１１のｐＨしきい値で、Ｍｇ（ＯＨ）２が形成され始める。これらの種はどちらも、ＣＴＥセルの性能を低下させる。
【００８６】
溶液においてＭｇ２＋およびＣａ２＋の濃度を変動させることもまた、沈殿物形成の割合および量の両方に影響を与える。
【００８７】
プロセスストリームのＴＤＳの変動は、その導電率、およびそれ故に電解槽の全体的な電力消費に影響し、その理由はセル電圧および導電率は反比例の関係だからである。
【００８８】
目下のＥｖｏｑｕａ（エボクア）の最新技術のＣＴＥセルを図１Ａ−１Ｃにおいて示す。水力学的に直列に接続された二十のＣＴＥセルを含む実例のシステムは図２において示す。特に注目すべきパラメータには、海水の容量流量（図３Ａ）、図３Ｂの質量流量、Ｈ２の容量生成率（図３Ｃ）、および図３Ｄの質量生成率が含まれる。
【００８９】
２−３ｍ／ｓの流速にて、図２において例示するようなシステムはセルフクリーニング操作する能力があり、約１０，０００および１６，０００  ｐｐｍ間のＮａ＋濃度、約１８，０００および２３，０００ｐｐｍ間のＣｌ−濃度、約７５０および１，８００ｐｐｍ間のＭｇ２＋濃度、および約２００および５００ｐｐｍ間のＣａ２＋濃度を有する供給ストリームが想定される。
【００９０】
これらの供給条件について、約２，０００ｐｐｍおよび約３，０００ｐｐｍ間のＮａＯＣｌ産出（ｏｕｔｐｕｔ）濃度を達成可能である。再度、この生産物の強度は理論的には沈殿物形成の割合によっておよび溶液におけるＮａＣｌの量によって制限される。電気塩素化システムの性能を向上させるために、あるものは、例えば：
・沈殿を軽減する（ｐＨ調整またはＭｇ２＋／Ｃａ２＋除去を介する）；および／または
・供給ストリームにおいてＮａＣｌの濃度を上げる
であり得る。
【００９１】
プロセスストリーム組成の調整
【００９２】
二価の硬度（ｄｉｖａｌｅｎｔ  ｈａｒｄｎｅｓｓ）について補償し、および／または一価の塩濃度を高めるために技術が存在する。ただし、上記のようなシステムについて、多くのプロセスは実用的ではない。適切および不適切なプロセスの双方の例を以下に挙げる。
【００９３】
不適切：
・アンチスケーラント（Ａｎｔｉ−ｓｃａｌａｎｔ）の投与：処理する質量についての試薬コストが高すぎる
・キレート化：処理する質量についての試薬コストが高すぎる
・蒸留：必要な容量を処理するためのエネルギーコストが高すぎる
・電気脱イオン（Ｅｌｅｃｔｒｏｄｅｉｏｎｉｚａｔｉｏｎ）（ＥＤＩ）：低硬度供給が必要、プロセス範囲外である
・イオン交換：有人操作が必要；再生させる化学物質のコストおよび危険な性質は禁止されている
・ライムの軟化／  Ｃｌａｒｋ´ｓ（クラークの）プロセス：有人操作が必要；処置のための質量およびスラッジ処理コストが高すぎる
・磁気水処理（ＡＭＴ）：証明されていないプロセス、裏付けのあるデータがほとんどない。
【００９４】
適切：
・酸の投与：酸の注入はｐＨを低下させることができ、それはスケールの形成を軽減し得る
・容量性の脱イオン化（ＣＡＰＤＩ）：二価を低減し、および一価イオン濃度を高めることができ；比較的低エネルギー（循環吸着／脱着）
・ナノろ過／逆浸透：二価イオン濃度を低減することができ、一価イオン濃度での同時低減を伴う；比較的低エネルギー
・電気透析（ＥＤ）：一価イオンを選択式に（ｓｅｌｅｃｔｉｖｅｌｙ）輸送し、および／または酸を生成することができる。
【００９５】
非制限的な実施形態
【００９６】
図４はナノろ過（ＮＦ）を介して供給ストリーム組成を調節するためのシステムを描く。二価の硬度、具体的にはＭｇ２＋およびＣａ２＋を低減し、および電解槽の沈殿を防ぐためのＮＦの使用は、新規であると考えられる。ＮＦユニットは、海水を残余分（ｒｅｔｅｎｔａｔｅ）およびろ過物（ｆｉｌｔｒａｔｅ、ろ過したもの、ろ液などとも称する）に分離し、残余分はろ過物よりも高い二価イオン対一価イオンの比率を有する。ＮＦユニットのろ過物出口は、電解槽の入口にろ過物を提供する。そのようなＮＦシステムについての参照データを図５において含める（Ｔｅｌｚｈｅｎｓｋｙ（テルゼンスキー），  Ｍ．、Ｂｉｍｈａｃｋ（ビムハック），  Ｌ．、Ｌｅｈｍａｎｎ（レーマン），  Ｏ．、Ｗｉｎｄｌｅｒ（ウインドラー），  Ｅ．、Ｌａｈａｖ（ラハーブ），  Ｏ．  Ｓｅｌｅｃｔｉｖｅ  ｓｅｐａｒａｔｉｏｎ  ｏｆ  ｓｅａｗａｔｅｒ  Ｍｇ２＋  ｉｏｎｓ  ｆｏｒ  ｕｓｅ  ｉｎ  ｄｏｗｎｓｔｒｅａｍ  ｗａｔｅｒ  ｔｒｅａｔｍｅｎｔ  ｐｒｏｃｅｓｓｅｓ（下流の水処理プロセスにおいて使用するための海水Ｍｇ２＋イオンの選択的分離）。Ｃｈｅｍｉｃａｌ  Ｅｎｇｉｎｅｅｒｉｎｇ  Ｊｏｕｒｎａｌ（ケミカル・エンジニアリング・ジャーナル）１７５（２０１１）１３６−１４３から再生）。
【００９７】
この構成では、一価のイオン濃度はおおよそ２−１０％まで低下し得、その一方二価のイオン濃度はおおよそ５０−９０％まで低下させ得る。
【００９８】
図６は電気透析（ＥＤ）を介して供給ストリームの組成を調節するためのシステムを描く。そのようなシステムは、希釈物（ｄｉｌｕｔｅ、希薄物などとも称する）から濃縮物ストリームに一価イオンを選択的に（ｐｒｅｆｅｒｅｎｔｉａｌｌｙ、優先的にとも称する）輸送するために一価の選択性膜を利用するであろう。そのようなプロセスのための参照データを図７Ａ−８Ｂにおいて含める。図７Ａ−７Ｂは一価選択性膜（ｍｏｎｏｖａｌｅｎｔ  ｓｅｌｅｃｔｉｖｅ  ｍｅｍｂｒａｎｅｓ）を利用するＥＤシステムの実例の性能を例示する。処理の増加（ＴＤＳでの減少または脱塩の度合いの増加）に伴い、一価イオン（Ｃｌ、Ｎａ、Ｋ）は希釈物から濃縮物ストリームにまですばやく移動するが、一方で二価イオン（ＳＯ４、Ｍｇ、Ｃａ）は高度なＴＤＳ除去／脱塩が達成されるまで濃縮物ストリームにおいて残る。この構成では、濃縮物ストリームにおける一価イオン濃度はおおよそ３％−４００％まで増加し得、二価イオン種の濃度において同時の変化はない。
【００９９】
図９ＡはＥＤを介して電解槽供給ストリームのｐＨを調節するためのシステムを描く。このシステムは、Ｈ＋およびＯＨ−を生成するために双極性膜を利用する（図９Ａ）。電解槽（図９Ｂ）にて、またはＮＦモジュール（図１０）にてのいずれかでｐＨを調節するためにＨ＋を使用することができる。
【０１００】
図１１Ａおよび１１Ｂは、電解槽供給ストリームを調節するためにＮＦおよびＥＤを組み合わせるシステムを描く。図１１Ａのシステムでは、ＮＦは二価の硬度を下げるために使用する。ＮＦからの残余分ストリームは一価の選択性ＥＤモジュールの希釈物および濃縮物ストリームの両方に供給する。臭化物イオンは濃縮物ストリームに流れるであろうことから、一価の選択性ＥＤモジュールの希釈物ストリームは、他のアプリケーション、例えば、飲用または冷却水などのようなものに使用することができた。次に、二価イオン濃度が低下し、および一価イオン濃度が上昇した濃縮物ストリームは電解槽用の供給ストリームとして使用することができた。
【０１０１】
図１１Ｂのシステムでは、供給ストリームにおいて一価イオンの濃度を低減するために、一価の選択性ＥＤモジュールの希釈性ストリーム（ｄｉｌｕｔｉｎｇ  ｓｔｒｅａｍ）が最初に使用される。次いで、二価の硬度を下げるために、ＥＤデバイスの希釈物ストリームをＮＦモジュール用の供給物として使用する。次いで、ＮＦモジュールのろ過生成物（ｐｅｒｍｅａｔｅ）をＥＤデバイスの濃縮物ストリームに供給し、一価イオンの全体的な濃度が保たれる。
【０１０２】
図１２Ａは供給ストリーム組成を調節するためのシステムを描き、反応生成物削減のための特長を含む電解槽とカップリング（ｃｏｕｐｌｅｄ、接合とも称する）される。様々な供給物組成、具体的には、海水およびブラインの反応生成物削減を比較する以前の実験では、Ｍｇ２＋硬度の存在がカソードマスキングを引き起こし、および動作電流密度が約２，２００から２００Ａ／ｍ２にまで低下し（図１２Ｂ）、酸素消費から水素生成への同時シフトを伴うことが見出された。図１２Ｂにおいて、酸素消費から水素生成へのシフトは各々のラインにおいてマークされた変曲点で発生する。「ブライン−３ｍ／ｓ、１バール空気」のラインは何らの改善も伴わない性能を表す。「ブライン−３ｍ／ｓ、６．９バールＯ２」のラインは十分に実現された性能の向上を表す。「海水−３ｍ／ｓ、５バールＯ２」のラインはＭｇ干渉によって引き起こされる性能の低下を例示する。二価の硬度、特にＭｇ２＋利用、例えば、図１２Ａにおいて例示するようにナノろ過ユニットを排除することによって、水素を伴わずにＮａＯＣｌを生成する能力がある電解槽システムは次いで可能であろう。また、酸素を電気化学反応器供給ストリームに導入して溶解したＨ＋と反応させて水を形成し、およびＨ＋が溶液から出ることを防ぐために、酸素飽和器を提供し得る。
【０１０３】
ここに開示するシステムの実施形態の様々な要素の動作を監視および制御するために使用されるコントローラは、コンピュータ化された制御システムを含んでよい。コントローラの種々の態様は、汎用コンピュータシステム１０００、例えば、図１３に示すようなものなどにおいて実行される専用ソフトウェアとしてインプリメントされてもよい。コンピュータシステム１０００は、一以上のメモリデバイス１００４、例えば、ディスクドライブ、ソリッドステートメモリ、またはデータを格納するための他のデバイスなどのようなものに接続されたプロセッサ１００２を含み得る。メモリ１００４は典型的に、プログラムおよびコンピュータシステム１０００の動作中のデータを格納するために使用される。コンピュータシステム１０００のコンポーネントは、相互接続機構１００６によってカップリングされ得、それは一以上のバス（例は、同じ機械内に統合されるコンポーネント間）および／またはネットワーク（例は、分けられ別個の機械上に存在するコンポーネント間）を含み得る。相互接続機構１００６は通信（例は、データ、命令）がシステム１０００のシステムコンポーネント間で交換されることを可能にする。コンピュータシステム１０００はまた、一以上の入力デバイス１００８、例えば、キーボード、マウス、トラックボール、マイクロフォン、タッチスクリーン、および一以上の出力デバイス１０１０、例えば、印刷デバイス、ディスプレイスクリーン、および／またはスピーカーを含む。
【０１０４】
出力デバイス１０１０はまた、バルブ、ポンプ、またはスイッチを含んでよく、それらはここに開示するように供給物供給源からの電気塩素化システム中、またはユースポイント（ｐｏｉｎｔ  ｏｆ  ｕｓｅ、使用場所とも称する）に生産物の水（例は、汽水または海水）を導入するために、および／またはポンプの速度を制御するために利用し得る。一以上のセンサ１０１４はまた、コンピュータシステム１０００への入力を提供してよい。これらのセンサは、例えば、圧力センサ、化学物質濃度センサ、温度センサ、流体流量センサ、または電気塩素化システムのオペレーターにとって関心がある任意の他のパラメータのためのセンサを含み得る。これらのセンサはそれらが有用であろうシステムの任意の部分、例えば、ユースポイントおよび／または電気塩素化システムの上流に、または供給物供給源と流体連結（ｉｎ  ｆｌｕｉｄ  ｃｏｍｍｕｎｉｃａｔｉｏｎ  ｗｉｔｈ、流体連通とも称する）して位置し得る。さらに、コンピュータシステム１０００は、相互接続機構１００６に加えて、またはその代わりとして、コンピュータシステム１０００を通信ネットワークに接続する一以上のインターフェース（示さない）を含み得る。
【０１０５】
ストレージシステム１０１２は、図１４においてより一層詳細に示し、典型的にコンピュータ可読性および書き込み可能な不揮発性記録媒体１１０２を含み、そこで信号が格納され、それらはプロセッサ１００２によって実行されるプログラムまたはプログラムによって処理される情報を規定する。媒体は、例えば、ディスクまたはフラッシュメモリを含み得る。典型的には、操作において、プロセッサは、データを不揮発性記録媒体１１０２から別のメモリ１１０４中に読み取らせ、それは媒体１１０２でなすよりもプロセッサによって情報へのより一層高速なアクセスが可能になる。このメモリ１１０４は典型的に、揮発性の、ランダムアクセスメモリ、例えば、ダイナミックランダムアクセスメモリ（ＤＲＡＭ）またはスタティックメモリ（ＳＲＡＭ）などのようなものである。それは、示されるように、ストレージシステム１０１２において、またはメモリシステム１００４において位置し得る。プロセッサ１００２は概して、集積回路メモリ１１０４内のデータを操作し、および次いで処理が完了して後データを媒体１１０２にコピーする。媒体１１０２および集積回路メモリ要素１１０４間のデータ移動を管理するための様々なメカニズムが知られ、およびここで開示する態様および実施形態はそれらに制限されない。ここで開示する態様および実施形態は特定のメモリシステム１００４またはストレージシステム１０１２に制限されない。
【０１０６】
コンピュータシステムは、特別にプログラムされた、特殊用途のハードウェア、例えば、アプリケーション特有の集積回路（ＡＳＩＣ）を含み得る。ここで開示する態様および実施形態は、ソフトウェア、ハードウェアまたはファームウェア、またはそれらの任意の組合せにおいてインプリメントされ得る。さらに、そのような方法、動作、システム、システム要素およびそれらのコンポーネントは、上述のコンピュータシステムの一部として、または独立したコンポーネントとしてインプリメントされてもよい。
【０１０７】
コンピュータシステム１０００は、例として、一つのタイプのコンピュータシステムとして示され、それはここで開示する種々の態様および実施形態が実践され得るが、ここに開示する態様および実施形態は図１３において示すようにコンピュータシステムにてインプリメントされるものに制限されないことを理解すべきである。ここで開示する種々の態様および実施形態は、図１３において示すものとは異なるアーキテクチャまたはコンポーネントを有する一以上のコンピュータにて実践され得る。
【０１０８】
コンピュータシステム１０００は、高水準コンピュータプログラミング言語を使用してプログラム可能な汎用コンピュータシステムであり得る。コンピュータシステム１７００はまた、特別にプログラムされた特別な目的のハードウェアを使用してインプリメントされ得る。コンピュータシステム１０００では、プロセッサ１００２は典型的に、商業上入手可能なプロセッサ、例えば、Ｉｎｔｅｌ  Ｃｏｒｐｏｒａｔｉｏｎ（インテルコーポレーション）から入手可能なよく知られたＰｅｎｔｉｕｍＴＭ（トレードマーク）（ペンティアム）またはＣｏｒｅＴＭ（コア）クラスのプロセッサなどのようなものである。他の多くのプロセッサがプログラマブルロジックコントローラーを含め、利用可能である。そのようなプロセッサは通常、オペレーティングシステムを実行し、それは例えばＭｉｃｒｏｓｏｆｔ  Ｃｏｒｐｏｒａｔｉｏｎ（マイクロソフトコーポレーション）から入手可能なＷｉｎｄｏｗｓ（ウィンドウズ）７、Ｗｉｎｄｏｗｓ  ８、またはＷｉｎｄｏｗｓ  １０オペレーティングシステム、Ａｐｐｌｅ  Ｃｏｍｐｕｔｅｒ（アップルコンピュータ）から入手可能なＭＡＣ  ＯＳ  Ｓｙｓｔｅｍ（マックＯＳシステム）Ｘ、Ｓｕｎ  Ｍｉｃｒｏｓｙｓｔｅｍｓ（サンマイクロシステムズ）から入手可能なＳｏｌａｒｉｓ  Ｏｐｅｒａｔｉｎｇ  Ｓｙｓｔｅｍ（ソラリスオペレーティングシステム）、または種々のソースから入手可能なＵＮＩＸ（ユニックス）であり得る。他の多くのオペレーティングシステムを使用し得る。
【０１０９】
プロセッサおよびオペレーティングシステムは共に、コンピュータプラットフォームを規定し、それについて高水準プログラミング言語においてアプリケーションプログラムが記述される。本発明が特定のコンピュータシステムプラットフォーム、プロセッサ、オペレーティングシステム、またはネットワークに制限されないことを理解すべきである。また、ここで開示する態様および実施形態が特定のプログラミング言語またはコンピュータシステムに制限されないことは本技術において熟練する者には明らかであろう。さらに、他の適切なプログラミング言語および他の適切なコンピュータシステムも使用することができるであろうことは認められるべきである。
【０１１０】
コンピュータシステムの一以上の部分は通信ネットワークにカップリングした一以上のコンピュータシステム（示さない）にわたって分散され得る。これらのコンピュータシステムはまた、汎用コンピュータシステムであり得る。例えば、本発明の種々の態様は、一以上のクライアントコンピュータにサービス（例は、サーバ）を提供するために、または分散システムの一部として全体的なタスクを行うために構成する一以上のコンピュータシステムの間で分散され得る。例えば、ここで開示する種々の態様および実施形態は、ここで開示する種々の態様および実施形態に従って種々の機能を行う一以上のサーバシステムの間に分散されるコンポーネントを含むクライアント−サーバシステムにて行なわれてよい。これらのコンポーネントは実行可能で、仲介し（例は、ＩＬ）または解釈した（例は、Ｊａｖａ（ジャバ））コードであってよく、それらは通信プロトコル（例は、ＴＣＰ／ＩＰ）を用いる通信ネットワーク（例は、インターネット）上で通信する。いくらかの実施形態では、コンピュータシステム２００の一以上のコンポーネントは、例えば、セルラー電話ネットワークを含め、無線ネットワーク上で一以上の他のコンポーネントと通信し得る。
【０１１１】
ここで開示する態様および実施形態は、任意の特定のシステムまたはシステムのグループでの実行に制限されないことが認められるべきである。また、ここで開示する態様および実施形態は、任意の特定の分散型アーキテクチャ、ネットワーク、または通信プロトコルに制限されないことが認められるべきである。ここで開示する種々の態様および実施形態は、オブジェクト指向プログラミング言語、例えば、ＳｍａｌｌＴａｌｋ（スモールトーク）、Ｊａｖａ、Ｃ＋＋、Ａｄａ（エイダ）、またはＣ＃（Ｃ−Ｓｈａｒｐ（Ｃ−シャープ））などのようなものを使用してプログラムされてもよい。他のオブジェクト指向プログラミング言語もまた使用し得る。あるいはまた、関数型、スクリプト型、および／または論理プログラミング言語を使用することもでき、例えば、ラダーロジックである。ここで開示する種々の態様および実施形態は、プログラムされていない環境においてインプリメントされ得る（例は、ＨＴＭＬ、ＸＭＬまたは他の形式において作り出される文書で、それはブラウザプログラムのウィンドウで見たときにグラフィカルユーザインターフェース（ＧＵＩ）の態様にされ、または他の機能を行う）。ここで開示する種々の態様および実施形態は、プログラムされ、またはプログラムされていない要素、またはそれらの任意の組合せとしてインプリメントされ得る。
【実施例】
【０１１２】
例：
【０１１３】
図１５Ａは試験された再循環電解槽システムを描く。
このセットアップでは、３．５％のＩｎｓｔａｎｔ  Ｏｃｅａｎ（Ｒ）（商標）（インスタント・オーシャン）合成海水溶液（図１５Ｂ）を生産物タンク内で調製した。次に、その溶液は様々な長さの時間（図１５Ｃ、７−１２０分）の間、電解槽を通して再循環させ、その間セルにわたって入力電圧をかけた。Ｈ２ガスはそれが生成する時に排出され、およびＮａＯＣｌ生産物が蓄積された。
【０１１４】
背景の議論によれば、Ｈ２を排出することはカソードの覆い隠しを防ぐであろうし、それゆえ局所的なｐＨがバルク値の近くに維持され、Ｍｇ（ＯＨ）２スケールが軽減されると考えられる。確認として、バルクｐＨは８．６および８．８間であると測定され、および観察可能な沈殿は形成されなかった。
【０１１５】
持続的な操作の後、ＮａＯＣｌ生産物の強度をヨウ素滴定により測定した。約７５０および６２００ｐｐｍ間の生産物強度（図１５Ｃ）が達成された。そのような結果は目下の最先端技術を超えて大幅な改善を表した。
【０１１６】
ここに開示する態様および実施形態は、供給ストリームの組成の調整を通して、同様またはより一層優れた性能を達成可能であろうことが予期される。
【０１１７】
ここで用いる語法および用語は、説明を目的とするものであり、および制限するものと見なされるべきではない。ここで使用するように、「複数」という用語は、二以上のアイテムまたはコンポーネントに言及する。「ｃｏｍｐｒｉｓｉｎｇ」、「ｉｎｃｌｕｄｉｎｇ」、「ｃａｒｒｙｉｎｇ（運ぶこと）」、「ｈａｖｉｎｇ」、「ｃｏｎｔａｉｎｉｎｇ」、および「ｉｎｖｏｌｖｉｎｇ」という用語は、書面による説明またはクレームおよびその他同種類のものなどにおいてにかかわらず、オープンエンドの用語、即ち、「含むがこれらに制限されないこと」を意味するためのものである。それゆえ、そのような用語の使用はその後に挙げるアイテム、およびその等価のもの、ならびに追加的なアイテムを包含することを意味する。請求の範囲に関して、「ｃｏｎｓｉｓｔｉｎｇ  ｏｆ（からなる）」および「ｃｏｎｓｉｓｔｉｎｇ  ｅｓｓｅｎｔｉａｌｌｙ  ｏｆ（から本質的になる）」という移行句だけが、それぞれクローズドまたはセミクローズ型の移行句である。序数用語、例えば、「第一」、「第二」、「第三」、およびその他同種類のものなどのようなもののクレームにおけるクレーム要素を修飾するための使用は、それ自体だけで、あるクレーム要素の他のものに対する任意の優先事項、優先権、または順序、または方法の動作を行う時間的順序を内包するものではないが、クレーム要素を区別するために、一定の名称を有する一のクレーム要素を同じ名称を有する別の要素（ただし、通常の用語を使用する）から区別するためにラベルとして単に使用される。
【０１１８】
このように、少なくともある実施形態のいくつかの態様を説明してきたが、種々の変形、修飾、および改良は本技術において熟練する者には容易に思い浮かぶであろうことが認められるべきである。任意の実施形態において説明する任意の特長は、任意の他の実施形態の任意の特長において含まれるか、またはそれらの代替であり得る。そのような変形、修飾、および改良はこの開示の一部であることが意図され、および本発明の範囲内であることが意図される。したがって、前述の説明および図面は例としてだけのものである。
【図１Ａ】
2021515096.tif 000005
【図１Ｂ】
2021515096.tif 000006
【図１Ｃ】
2021515096.tif 000007
【図２】
2021515096.tif 000008
【図３Ａ】
2021515096.tif 000009
【図３Ｂ】
2021515096.tif 000010
【図３Ｃ】
2021515096.tif 000011
【図３Ｄ】
2021515096.tif 000012
【図４】
2021515096.tif 000013
【図５】
2021515096.tif 000014
【図６】
2021515096.tif 000015
【図７Ａ】
2021515096.tif 000016
【図７Ｂ】
2021515096.tif 000017
【図８Ａ】
2021515096.tif 000018
【図８Ｂ】
2021515096.tif 000019
【図９Ａ】
2021515096.tif 000020
【図９Ｂ】
2021515096.tif 000021
【図１０】
2021515096.tif 000022
【図１１】
2021515096.tif 000023
【図１２Ａ】
2021515096.tif 000024
【図１２Ｂ】
2021515096.tif 000025
【図１３】
2021515096.tif 000026
【図１４】
2021515096.tif 000027
【図１５Ａ】
2021515096.tif 000028
【図１５Ｂ】
2021515096.tif 000029
【図１５Ｃ】
2021515096.tif 000030
【国際調査報告】
2021515096.tif 000031
2021515096.tif 000032
2021515096.tif 000033